(57)【要約】      （修正有）【課題】現場での部品管理や装着時の手間等が増すことなく、コストアップを抑制することができ、しかも強い横揺れに対しても防振（防震）性を発揮することができる配管吊下支持具を提供する。【解決手段】バンド抱持部１１とバンド端部１３を有する配管支持具であって、抱持した配管類を、天井スラブ等の取付面から２点又は３点吊下支持する配管吊下支持具１において、２つのバンド抱持部によって配管類を抱持可能であり、該２つのバンド抱持部の下端部分を組式又は蝶番式の如き接続部１２により拡開可能に接続され、前記バンド端部が吊下接続部材に接続されることで吊りボルトからの吊下げが可能な構成の配管支持バンドから成り、前記２つのバンド抱持部の下端部分が前記接続部を越えて延長され、この延長された部分である延長部の各々に、前記取付面に一端が固定されて斜め吊下げする１本又は２本の吊りボルトの如き吊下支持杆の他端を係合可能な透孔１５が形成された構成である。【選択図】図１
0003152657.tif 000002
【実用新案登録請求の範囲】
【請求項１】
配管を抱持するバンド抱持部と該バンド抱持部の上端部分に連接されたバンド端部を有する配管支持具であって、抱持した配管類を、天井スラブ等の取付面から２点又は３点吊下支持する配管吊下支持具において、
２つのバンド抱持部によって配管類を抱持可能であり、該２つのバンド抱持部の下端部分を組式又は蝶番式の如き接続部により拡開可能に接続され、前記バンド端部がタンバックルの如き吊下接続部材に接続されることで吊りボルトからの吊下げが可能な構成の配管支持バンドから成り、
前記２つのバンド抱持部の下端部分が前記接続部を越えて延長され、この延長された部分である延長部の各々に、前記取付面に一端が固定されて斜め吊下げする１本又は２本の吊りボルトの如き吊下支持杆の他端を係合可能な透孔が形成された構成であること
を特徴とする配管吊下支持具。
【請求項２】
前記透孔が、丸孔、又は延長部の延長方向に長径を有する長孔であることを特徴とする請求項１に記載の配管吊下支持具。
【請求項３】
前記取付面に一端が固定された吊りボルトにタンバックルを介して前記バンド端部をボルト・ナット固定し、
前記取付面に一端が固定され、斜め吊下げする１本又は２本の吊りボルトの如き吊下支持杆の他端を、前記延長部の透孔にナットの如き係合手段を用いて係合することにより、
前記吊りボルトと１本又は２本の吊下支持杆による２点又は３点吊下支持する構成であることを特徴とする請求項１又は２に記載の配管吊下支持具。
【考案の詳細な説明】
【技術分野】
【０００１】
本考案は配管吊下支持具に関し、詳しくは天井スラブ等の取付面に、水道管、ガス管、冷・暖房管等の各種配管を２点又は３点吊下支持する配管吊下支持具に関する。
【背景技術】
【０００２】
天井スラブ等の取付面に吊りボルト等の支持部材による吊下支持に加えて前記取付面から斜めに垂設した１本又は２本の吊下支持杆を付加すること等によって２点支持乃至は３点吊下支持したり、或いは２本の吊下支持杆によって２点吊下支持することで防振（防震）構造とした技術としては、例えば、特許文献１〜３に記載のもの等が知られている。
【先行技術文献】
【特許文献】
【０００３】
【特許文献１】特開２００４−１５０４５２号
【特許文献２】実用新案登録第２５２４３４０号
【特許文献３】登録実用新案第３１４８３６１号
【考案の概要】
【考案が解決しようとする課題】
【０００４】
特許文献１に示す技術では、従来構成のままの既存のタンバックル及び配管支持具に装着することで３点吊下支持可能な技術であるが、他部材である２枚の板状部材を必要とするため、かかる部品点数の増加によって現場での部品管理の煩雑さやや装着時の手間等が新たに加わることとなっている。
【０００５】
特許文献２及び３に示す技術は、配管支持具のバンド抱持部の外面に吊下支持杆との係合部が設けられているため、新たな部材の追加の問題はなく部品管理等の煩雑さ等は無いが、配管支持具自体のコストが上昇せざるを得ない。
【０００６】
以上のことから、現場での部品管理や装着時の手間等が増すことなく、コストアップを抑制することができる配管吊下支持具の要請があることが判った。
【０００７】
更に本考案者が当該技術について鋭意研究を続けたところ、強い横揺れが発生した場合、配管を抱持した状態で取付面から吊下げられる配管支持具は、取付面と吊りボルトとの接続部、吊りボルトとタンバックルとの接続部、タンバックルと配管支持具との接続部からバンド抱持部の上端部分までの部分、等の箇所に負荷がかかり、特に配管を抱持する部分の直上であるバンド抱持部の上端部分に大きな負荷がかかることが判った。
【０００８】
本考案者の研究によれば、前記特許文献１〜３に示す技術では強い横揺れが発生した際には、取付面と吊りボルトとの接続部、吊りボルトとタンバックルとの接続部、タンバックルと配管支持具との接続部については防振（防震）性を発揮することができるが、バンド抱持部の上端部分での防振（防震）性については不充分な場合があることが判った。
【０００９】
そこで本考案の課題は、現場での部品管理や装着時の手間等が増すことなく、コストアップを抑制することができ、しかも強い横揺れに対しても防振（防震）性を発揮することができる配管吊下支持具を提供することにある。
【課題を解決するための手段】
【００１０】
上記課題を解決する本考案は下記構成を有する。
【００１１】
１．配管を抱持するバンド抱持部と該バンド抱持部の上端部分に連接されたバンド端部を有する配管支持具であって、抱持した配管類を、天井スラブ等の取付面から２点又は３点吊下支持する配管吊下支持具において、
２つのバンド抱持部によって配管類を抱持可能であり、該２つのバンド抱持部の下端部分を組式又は蝶番式の如き接続部により拡開可能に接続され、前記バンド端部がタンバックルの如き吊下接続部材に接続されることで吊りボルトからの吊下げが可能な構成の配管支持バンドから成り、
前記２つのバンド抱持部の下端部分が前記接続部を越えて延長され、この延長された部分である延長部の各々に、前記取付面に一端が固定されて斜め吊下げする１本又は２本の吊りボルトの如き吊下支持杆の他端を係合可能な透孔が形成された構成であること
を特徴とする配管吊下支持具。
【００１２】
２．前記透孔が、丸孔、又は延長部の延長方向に長径を有する長孔であることを特徴とする上記１に記載の配管吊下支持具。
【００１３】
３．前記取付面に一端が固定された吊りボルトにタンバックルを介して前記バンド端部をボルト・ナット固定し、
前記取付面に一端が固定され、斜め吊下げする１本又は２本の吊りボルトの如き吊下支持杆の他端を、前記延長部の透孔にナットの如き係合手段を用いて係合することにより、
前記吊りボルトと１本又は２本の吊下支持杆による２点又は３点吊下支持する構成であることを特徴とする上記１又は２に記載の配管吊下支持具。
【考案の効果】
【００１４】
請求項１又は３に示す考案によれば、現場での部品管理や装着時の手間等が増すことなく、コストアップを抑制することができ、しかも強い横揺れに対しても防振（防震）性を発揮することができる配管吊下支持具を提供することができる。
【００１５】
特に、斜め吊下げによって横揺れに対する防振（防震）性を発揮する吊下支持杆を、配管支持具のバンド抱持部の下端部分から延長する部分に係合する構成によって、配管を抱持する配管支持具を横揺れ時の支点（取付面と吊りボルトとの接続部）から最も遠い位置で支持することになるので、最も効果的に横揺れに対する防振（防震）性を発揮させることができる。従って、横揺れ時に生じる、取付面と吊りボルトとの接続部、吊りボルトとタンバックルとの接続部、タンバックルと配管支持具との接続部からバンド抱持部の上端部分までの部分、等の各箇所への負荷を著しく減じることができ、極めて強力な耐震性を発揮させることができる。
【００１６】
請求項２に示す考案によれば、透孔に係合する吊下支持杆の斜め角度を長孔の長径方向に微調整することができる。
【図面の簡単な説明】
【００１７】
【図１】本考案に係る配管吊下支持具の一実施例を示す４面図（正面図、平面図、底面図、左側面図）
【図２】図１に示す配管吊下支持具の使用例の一例を示す概略正面図
【考案を実施するための形態】
【００１８】
次に、添付の図面に従って本考案を詳細に説明する。
【００１９】
本考案に係る配管吊下支持具（以下、単に支持具と言うこともある。）１は、図１に示すような具体的構成を有し、使用に際しては図２に示すように配管Ｐを抱持した状態で天井スラブ等の取付面２に固定された吊りボルト３及び吊下支持杆４による防振状態で２点又は３点（図２は３点）吊下支持する際に用いるものである。
【００２０】
支持具１の具体的構成としては、図１に示すように、配管吊下支持具本体が２つのバンド抱持部１１・１１によって配管Ｐを抱持状態で支持する一般的な構成及び素材の配管支持バンドを基本構成とし、該２つのバンド抱持部１１・１１の下端部分を組式又は蝶番式（本実施例では蝶番式）の如き接続部１２により拡開可能に接続され、前記２つのバンド抱持部１１・１１の上端部分から連接されているバンド端部１３・１３がタンバックルの如き吊下接続部材３１に接続されることで吊りボルトからの吊下げが可能な構成の配管支持バンドから成り、前記２つのバンド抱持部１１・１１の下端部分が前記接続部１２を越えて延長され、この延長された部分である延長部１４・１４の各々に、前記取付面２に一端が固定されて斜め吊下げする１本又は２本の吊りボルトの如き吊下支持杆４の他端を係合可能な透孔１５・１５が形成された構成である。
【００２１】
延長部１４の延長方向は、取付面２からの吊下支持杆４（図２参照）の斜め吊下角度に応じて適宜設定されることが好ましい。具体的な角度としては、好ましくはバンド端部１３を下方に延長した線に対して３０〜８５度、より好ましくは４５〜６０度の範囲であり、防振（防震）性の観点から吊下支持杆４の斜め吊下角度は概ね４５度の角度であること好ましいことから、延長部１４の角度も概ね４５度であることがとりわけ好ましい。
【００２２】
また、延長部１４の延長長さは、透孔１５に吊下支持杆４を係合する際に、該吊下支持杆４がバンド抱持部１１に干渉されない長さである。尚、吊下支持杆４を延長部１４の透孔１５に係合した際に、該吊下支持杆４の一部がバンド抱持部１１の外面に当接する構成も本考案に包含される。
【００２３】
延長部１４に形成される透孔１５は、図１に示すように丸孔でもよいが、延長部１４の延長方向に長径を有する長孔であってもよい。長孔とすることで、透孔１５に係合する吊下支持杆４の斜め角度を長孔の長径方向に微調整することができる。
【００２４】
次に、上記構成を有する支持具１の使用例について説明する。
【００２５】
図２に示すように、天井スラブ等の取付面２に一端が固定された吊りボルト３にタンバックルの如き吊下接続部材３１を介してバンド端部１３をボルト・ナット１６により固定することで支持具１を前記取付面２に吊下支持し、更に、前記取付面２に一端が固定され、斜め吊下げする２本の吊りボルトの如き吊下支持杆４・４の他端を、前記透孔１５・１５にナットの如き係合手段４１を用いて係合することにより、前記吊りボルト３と２本の吊下支持杆４・４による３点吊下支持することができる。
【００２６】
以上、本考案に係る配管吊下支持具の実施例について説明したが、本考案は上記実施例に限定されず、本考案の範囲内において種々の他の態様を採ることもできる。
【００２７】
例えば、図２に示す上記実施例では、吊下支持杆４を２本としたが、該吊下支持杆４は施工現場の状況等の諸条件に応じて１本であってもよく、かかる諸条件に応じて２つの延長部１４・１４のいずれか一方に形成された透孔１５のみに吊下支持杆４を係合することで、吊りボルト３と１本の吊下支持杆４による２点吊下支持とすることもできる。
【００２８】
更に本考案の支持具１は、基本構成をバンド抱持部１１・１１によって配管Ｐを抱持する構成の配管支持具とするが、かかる配管支持具の基本構成としては、この種の配管支持具として公知公用の構成及び素材を有する種々仕様のものを基本構成として採ることができる。例えば、上記実施例では、バンド抱持部１１・１１の接続部１２が蝶番式の構成であるが、組式構成の接続部を有する配管支持具であってもよい。
【符号の説明】
【００２９】
１  配管吊下支持具
１１  バンド抱持部
１２  接続部
１３  バンド端部
１４  延長部
１５  透孔
１６  ボルト・ナット
２  取付面
３  吊りボルト
３１  吊下接続部材
４  吊下支持杆
４１  係合手段
Ｐ  配管
【図１】
0003152657.tif 000003
【図２】
0003152657.tif 000004